(57)【要約】【課題】  赤ちゃんや乳幼児は環境の変化に対する順応性が未熟であるが為、食事の際、器具の飲み込む危険性はもとより好き嫌いがはげしく、親は食事を勧めるのに翻弄する一時期がある。特に第一子の場合には親も経験浅く子育ての中でも特に乳幼児の食事には苦労する。【解決手段】  本発明は、以上の課題に対し乳幼児や子供たちの食事の際に、誤ってスプーンを飲み込む事故防止を兼ね、且つ食事が楽しく勧む様にスプーンやフォークに特殊な次具を取り付け、音楽や好みのキャラクターなど各種機能を持たせ食事の雰囲気を楽しく迎えることが出来るように各種食事用道具に種々の機能を仕込んだ食事用機器を提供する。【選択図】図１
2010284462.tif 000002
【特許請求の範囲】
【請求項１】
使用状態や持ち方によって適宜音声や音楽や画像の表示機能を装着したスプーンやフォークや箸やご飯しゃもじ若しくは食事に使用する機器。
【請求項２】
言語など学習用或いは教材用の訓練機器装置を仕込んだ請求項１に記載のスプーンやフォークや箸やご飯しゃもじ若しくは食事に使用する機器。
【請求項３】
天然の樹液など植物や鉱物が持つ薬効を仕込んだ請求項１に記載のスプーンやフォークや箸やご飯しゃもじ若しくは食事に使用する機器。
【請求項４】
乳幼児並びにお年寄りなど弱者向け用具として、喉を突かない様且つ飲み込まない様に握り部付属品の取り付け箇所は、柄杓先端から柄杓側握り部との間隔が１０ｃｍ以内、若しくは柄杓つけ根と柄杓側握り部分先端の間隔が６ｃｍ以内であり、握り部分若しくは握り部分に取り付ける付属品の柄杓側に面する高さサイズは２ｃｍ以上あることを条件とするスプーンやフォークなどの食事用具。
【発明の詳細な説明】
【技術分野】
【０００１】わが国では少子化次代を迎え、親が子供に投資する金額はうなぎ上りである。今や大卒は当たり前のようになり海外へ留学したばっかりに事件に遭遇したり或いはそのまま海外結婚などかつての日本では想定できない時代が到来した。学費においても最初の幼稚園からその学費は高額となり子供一人当りの子育て費用は家計の中でも今や大きな出費部分を占める様になってきた。これ等はわが国に限った事ではなくお隣の韓国や中国でさえも一人っ子政策を取り始めた。これ等の世界的な傾向の中でわが国では今や赤ちゃん用品などのベビー市場では例え材料費は極僅かでも、デザインや色彩や機能性などその変貌振りには驚きのスピードで変革を遂げはじめたが、本発明はこれら乳幼児やお年寄りの要介護が必要な人々用の食事用機器に関するものである。
【背景技術】
【０００２】少子化が始まったが為に乳幼児中心の子育てにも意外と手が掛かるようになり、又好みの激しい我侭な子供達も次第に増え、自然環境においても外部からは大陸からの黄砂が増え、アトピー性疾患など最近の乳幼児は過去の通常手段では守りきれない環境が芽生え始めているが、せめて食事だけは満足にさせたいものである。しかし最近のアンケート調査によると朝食を取らない児童が増えそれらの子供たちは体力や意欲など平均値から外れる数値が出始めている。
そこで本発明は乳幼児時代から如何に楽しく食事を迎えさせるにはどうしたらよいのであろうか、特に食事を美味しく迎える事は栄養の吸収性もよく何と言っても身体によいのは確かである。そこで本発明は楽しく食事が出来る為の食事用関連機器の技実開発を提供するものである。先願を見ても例えば特開２０００−６０７１１などはスプーンなどの握り方に利便性を付加したものや、特開２００４−２５５０８７など、機能性や形状を付加したスプーンやフォーク等、多数先願が有あるが楽しさを追求した食事用機器は少ないようである。【０００３】
【特許文献１】特開２０００−６０７１１スプーン、フォーク等のグリップ
【特許文献２】特開２００４−２５５０８７幼児用スプーン等多数あるものの、先願のほとんどがデザイン性で出願したものである。
【発明の開示】
【発明が解決しようとする課題】
【０００４】最近の朝食抜きの子供たち、或いは好き嫌いのは激しい子供達が食事時に楽しい雰囲気をかもし出すように食器用具に仕掛けをする。例えばテレビの子供番組の主題歌や音楽など流行の歌や詩を仕込んだスプーン或いはスプーンの握り部分にゴルフボールのような付属品をつけその中に動くたびに動物の鳴き声や特殊な音声を仕込むことにより、或いは思い出の地や好きな動物の鳴き声や春間近になれば鶯の鳴き声などが仕込まれた食事用機器があれば朝食も又格別である。音声はゼンマイ式のオルゴール装置の応用やボタン電池を動力とした防水型の音声モジュールなどを利用すればよい。外国の思い出や名曲でも良い。最近ではグラスにも好みの画像を仕込む事が出来るがプラスチック製品などは、金型で射出成型するときに装置や電池など仕込み部材用の空間を空けて置けば成型後自在に装置の仕込みは簡単である。【０００５】よってその工夫とはスプリングなどを起動力としても良いが、作動経過時間に一定の時間が必要な場合には起電力となる電池は、ボタン電池などを使えば小面積でも機器の収納は可能である。オルゴールや各種の音声用モジュール部品の仕込み用に必要なくぼみや空間はスプーン下部からか、或いは上部からでも良いが、その取り付けと仕込み方法は、空間に装置を仕込んだ後、防水型のカバーを接着若しくはビス止めなど、はめ込みでも十分機能の保全は可能であり起動用のスイッチなどはスイッチ外装部分を柔軟材で被っても良いし、タッチセンサーでもよい。又スプーンなどの素材については既存品のアルミ製やステン製或いはプラスチック材や植物性材の加工製品でもよい。各種機能を装着する肝心の握り部分も同様アルミなどの軽量金属材系やプラスチックでも良いが、陶磁器などで最初から各種機能性機器を装着する空間を設けた握り部を別途に制作し、後で赤ちゃん用、幼児用、子供用、大人用、或いはお年寄り用などとそれぞれの年代に合わせたソフト機器と組み合わせれば楽しいスプーンやフォークが完成すると共に食事が一段と楽しくなる。
【発明の効果】
【０００６】食事時、或いは御茶時やティータイムやコーヒータイムなど等、各種それぞれの環境にあわせたスプーン軸握り部が異なるスプーンを使用することによりティータイムや食事が一段と楽しくなり且つ、話題も豊富になり、好き嫌いの激しい子供たちにとっては苦痛であった食事が逆転し一段と楽しい食事の時間を迎えることが出来る。又長いスプーンを喉元に突っ込む危険性や、飲み込み防止の為に、スプーン軸握り部に、各種機能付き太目の握り部材を装着する事によりこれ等の危険性がなくなった。又乳幼児やお年寄りなどが単独で食事をする場合でも、目的の合ったスプーンを選別することにより、食事をする際、手先と意志の連動が旨く行かない場合でもスプーンが喉の奥を刺激する危険性や、握り部分の柄杓側高さを一定寸法以上にする事により太目の握り部が唇元で障害となり間違って飲み込む恐れや喉を突く恐れが無くなった。
【発明を実施するための最良の形態】
【０００７】本発明の各種機能性を持たせたスプーンやフォーク等食器用具の開発製造に当ってはスプーンやフォーク等の従来製品部分はこれまで通りの製品がそのまま使用若しくは応用可能である。これ等の従来品を使って各種楽しめる機能を持たせるには別途に陶器や磁器や木製など、食公害のない材料を素材として、機能性機器を仕込むための空間を持たせた握り部分いわゆる握り安い形状のミニ部品ボックスを別途につくり、各目的の機能をその中に装填する。よって特殊な機能を持たせる為のスプーンやフォークを別途に作る必要は無く、既存のスプーンやフォークを利用し、後付け作業としてスプーンやフォークの握り部分に取り付ける部品ボックスに各種機能装置を内包すればよい。有田や益子や萩焼など有名な産地に於ける陶磁器産地ではそれぞれの産地において、スプーンに各種機能を仕込むための空間を持つ部品ボックスのみを別途製造並びに販売する事により、各家庭において好みのデザインや色彩、或いは機能を選別することが可能となり店頭でも楽しい陳列コーナーを別途に設けることが出来る。内部に各種機能を仕込まれた部品ボックスの起動スイッチはタッチセンサーで十分である。市場では特殊な機能性食器用用具としての扱いにすれば時間はかかるが息の長い製品として市場が育つ可能性がある。尚これ等の素材としては金属製や木製や竹製或いは陶磁器など製品の素材については特別限定する必要は無い。それぞれ地域の特産材例えば大分県や山口県などでは公害の一つに上げられている竹の利用法としての用途開発をすれば産地の活性化に繋がる。
【実施例１】
【０００８】実施例によって本発明を説明する。例えば図１にある様なデザインの握り部分を、上部から機能装置を仕込める部品ボックスを磁器でつくり内部には例えば振動で起動するオルゴールなどを仕込み、上部から防水性の蓋を被いその蓋の上面には各種デザインや人気のキャラクターの絵をデザインすれば、ふた部分のデザインと部品ボックス内のオルゴールの差し替えにより、子供の洋服サイズが成長に合わせて変化すると同様、子供の成長や好みに合わせて差し替えが可能となる。
【産業上の利用可能性】
【０００９】現代の若い女性たちの間ではマニュキア市場が大変賑わっているが、上述したようにスプーンやフォークなど家庭で現在使用している食事用用具に、本発明の機能性付属品いわゆる部品ボックスと付属機器を付加することによって家庭での食事が一段と楽しくなり、特に幼児や赤ちゃんなどに食事を勧める時にも楽しく勧める事が容易となり、且つ話題も増える。又流通分野においてもデパートなどでスプーンなどの特別陳列コーナーを設け各種機能性、利便性などの違いやデザイン或いはサイズなど多品種をそろえる専門コーナーを設けることも可能となり、生産地側は勿論、周辺の技術開発、機能開発などそれぞれの業界に新たな活性化手段を提供することが出来る。
【図面の簡単な説明】
【００１０】
【図１】図１は本発明のスプーンの握り部分に、内部空間を持つ球形楕円型の磁器製容器を取り付けた全体概要図である。
【図２】図２は乳幼児など弱者が、誤使用により誤って喉を傷つける事を防止するために握り部分の柄杓側の高さ寸法を一定以上とした全体概要図である
【図３】図３は本発明の球形楕円型の磁器製容器内部にオルゴールを仕込みその蓋を開けた時の全体概要図である。
【符号の説明】
【００１１】１  スプーン全体概要図。
２  磁器製握り部分。
３  磁器製握り部分の蓋。
４  蓋部分表面に焼き付けられた画像。
５  防水スイッチ、又はタッチセンサー
６  蓋を開けたときの磁器握り内部概要図
７、磁器製握り内部に仕込まれたオルゴール。
８、飲み込み防止用障害壁
９、柄杓先端部より握り部先端までの寸法
１０、柄杓の軸方向寸法
１１、柄杓側握り部高さ寸法
【図１】
2010284462.tif 000003
【図２】
2010284462.tif 000004
【図３】
2010284462.tif 000005